(57)【要約】【課題】送出される電波により周囲の電子機器に悪影響を与えず通信を伴わない機能のみが利用可能な状態に、Ｗ−ＣＤＭＡ方式の既存のインタフェースを利用して設定可能な携帯電話端末を提供する。【解決手段】操作部１１への操作によりオフラインモードに設定するとき、制御部１４はネットワークに対する位置登録を解除する。位置登録が解除されると、無線部１２は、ネットワークとの通信を停止し、制御部１４はそのネットワークとの通信を伴う機能を停止する。操作部１１への操作によりオフラインモードを解除するとき、無線部１２がネットワークとの通信を開始し、制御部１４がネットワークとの通信を伴う機能を再開する。また、ネットワークとの通信が開始されると、制御部１４はネットワークに対して位置登録を行う。【選択図】　　　図１
2004080308.tif 000002
【特許請求の範囲】
【請求項１】
ネットワークとの通信を伴う機能と前記ネットワークとの通信を伴わない機能を有するＷ−ＣＤＭＡ携帯端末であって、
前記ネットワークとの通信において該ネットワークと無線信号を送受信する無線部と、
ユーザによる前記Ｗ−ＣＤＭＡ携帯端末に対する操作を検出する操作部と、
前記操作部にてオフラインモードに移行するための操作が検出されると、前記ネットワークに対して位置登録を解除し、前記無線部を停止させて前記ネットワークとの通信を伴う機能を停止し、前記操作部にてオンラインモードに移行するための操作が検出されると、前記無線部を起動させて前記ネットワークとの通信を伴う機能を再開し、前記ネットワークに対して位置登録を行う制御部を有するＷ−ＣＤＭＡ携帯端末。
【請求項２】
ネットワークとの通信を伴う機能と前記ネットワークとの通信を伴わない機能を有するＷ−ＣＤＭＡ携帯端末であって、
前記ネットワークとの通信において該ネットワークと無線信号を送受信する無線部と、
ユーザによる前記Ｗ−ＣＤＭＡ携帯端末に対する操作を検出する操作部と、
前記操作部にてオフラインモードに移行するための操作が検出されると、前記ネットワークに対して位置登録を解除し、前記無線部に前記ネットワークへの無線信号の送信を停止させて前記ネットワークからの無線信号の受信のみ行わせ、前記ネットワークとの通信を伴う機能を停止し、前記操作部にてオンラインモードに移行するための操作が検出されると、前記無線部に前記ネットワークへの無線信号の送信を再開させて前記ネットワークとの通信を伴う機能を再開し、前記ネットワークに対して位置登録を行う制御部を有するＷ−ＣＤＭＡ携帯端末。
【請求項３】
前記制御部は、前記無線部にて前記ネットワークから受信された無線信号により周辺の基地局を検出しており、前記操作部にてオフラインモードに移行するための操作が検出されて、前記ネットワークに対して位置登録を解除しても前記周辺の基地局の検出は継続し、前記操作部にてオンラインモードに移行するための操作が検出されると、最も無線信号の受信状態が良好な基地局に向けて位置登録を行う、請求項２記載のＷ−ＣＤＭＡ携帯端末。
【請求項４】
ネットワークとの通信を伴う機能と前記ネットワークとの通信を伴わない機能を有するＷ−ＣＤＭＡ携帯端末において、無線信号の送出を停止して前記ネットワークとの通信を伴わない機能のみを利用可能なオフラインモードに設定し、また解除するための動作モード設定方法であって、
前記オフラインモードに設定するとき、前記ネットワークに対する位置登録を解除するステップと、
前記位置登録が解除されると、前記ネットワークとの通信を停止し、該ネットワークとの通信を伴う機能を停止するステップと、
前記オフラインモードを解除するとき、前記ネットワークとの通信を開始し、該ネットワークとの通信を伴う機能を再開するステップと、
前記ネットワークとの通信が開始されると、前記ネットワークに対して位置登録を行うステップを有する動作モード設定方法。
【請求項５】
ネットワークとの通信を伴う機能と前記ネットワークとの通信を伴わない機能を有するＷ−ＣＤＭＡ携帯端末において、無線信号の送出を停止して前記ネットワークとの通信を伴わない機能のみを利用可能なオフラインモードに設定し、また解除するための動作モード設定方法であって、
前記オフラインモードに設定するとき、前記ネットワークに対する位置登録を解除するステップと、
前記位置登録が解除されると、前記ネットワークへの無線信号の送信を停止し、該ネットワークからの無線信号の受信のみ行い、該ネットワークとの通信を伴う機能を停止するステップと、
前記オフラインモードを解除するとき、前記ネットワークへの無線信号の送信を可能にし、該ネットワークとの通信を伴う機能を再開するステップと、
前記ネットワークへの無線信号の送信が可能になると、前記ネットワークに対して位置登録を行うステップを有する動作モード設定方法。
【請求項６】
前記ネットワークへの無線信号の送信を停止したときにも、前記ネットワークから受信される信号による周辺の基地局の検出を継続し、前記ネットワークへの無線信号の送信が可能になったとき、最も無線信号の受信状態が良好な基地局に向けて位置登録を行う、請求項５記載の動作モード設定方法。
【発明の詳細な説明】
【０００１】
【発明の属する技術分野】
本発明は、電波の送出による周囲への悪影響を防止したＷ−ＣＤＭＡ方式の携帯電話端末に関する。
【０００２】
【従来の技術】
近年、携帯電話端末は、音声による通話の機能、インターネットや電子メールのようなデータ通信の機能の他に、様々な付加的機能を有している。例えば、所定の時刻になったことをユーザに通知するアラーム機能、メモ代わりに情報をメモリに蓄積するメモ機能などがある。また、インターネットからダウンロードしたコンテンツを携帯電話端末上で利用することもできる。例えば、携帯電話端末によって音楽を再生することもできる。
【０００３】
便利な機能を有している一方で、携帯電話端末は、送出する電波によって周囲の電子機器に悪影響を与えることがある。特に、携帯電話端末から送出される電波による医療機器などへの影響が懸念されている。そのため、病院内のように携帯電話端末の利用が禁止されている場所や、電車内のように携帯電話端末の利用が好ましくない場所がある。
【０００４】
携帯電話端末は通話中以外にも電波を送出することがあるので、病院内などでは携帯電話端末の電源を切っておく必要がある。携帯電話端末の電源を切っていると、上述したアラーム機能やメモ機能のような通信を伴わない機能も利用できない。また、過去に受信したメールを閲覧することもできない。逆に、このような機能を利用するために電源を入れると、携帯電話端末は電波を送出し、周囲へ悪影響を与える恐れがある。
【０００５】
このような問題を解決するために、従来の携帯電話端末には、通信を伴わない機能だけが利用でき、通信を伴う機能が利用できない動作モード（以下、オフラインモードと称す）が設けられているものがある（例えば、特許文献１〜３参照）。オフラインモードにおいて、従来の携帯電話機は電波を送出しないので、例えば病院内なのでアラーム機能やメモ機能を利用しても医療機器などに悪影響を及ぼすことがない。
【０００６】
【特許文献１】
特開２００２−１９９４５４号公報
【０００７】
【特許文献２】
特開２００２−６４８７４号公報
【０００８】
【特許文献１】
特開２００２−６４８６６号公報
【０００９】
【発明が解決しようとする課題】
近年、技術の発展に伴って、通話音声の品質がよく、高速データ通信が可能であり、処理能力の高いＷ−ＣＤＭＡ方式の移動通信システムが実現されている。Ｗ−ＣＤＭＡ方式の移動通信システムは、処理能力が高く、大容量のデータを扱うことができるので、音声や画像通信およびデータ通信だけでなく、通信を伴わない機能も高機能化している。
【００１０】
Ｗ−ＣＤＭＡ方式の携帯電話端末の様々な動作が標準化されているが、上述したオフラインモードを実現する手段が確立されていない。そのため、オフラインモードを持ったＷ−ＣＤＭＡ方式の携帯電話端末が無いのが現状である。そのため、従来のＷ−ＣＤＭＡ方式の携帯電話端末において、電波の送出を停止するためには、電源を切るしか方法が無かった。
【００１１】
本発明の目的は、送出される電波により周囲の電子機器に悪影響を与えず、通信を伴わない機能のみが利用可能な状態に、Ｗ−ＣＤＭＡ方式の既存のインタフェースを用いて設定可能とした携帯電話端末を提供することである。
【００１２】
【課題を解決するための手段】
上記目的を達成するために、本発明のＷ−ＣＤＭＡ携帯端末は、ネットワークとの通信を伴う機能とネットワークとの通信を伴わない機能を有するＷ−ＣＤＭＡ携帯端末であって、
ネットワークとの通信においてそのネットワークと無線信号を送受信する無線部と、
ユーザによるＷ−ＣＤＭＡ携帯端末に対する操作を検出する操作部と、
操作部にてオフラインモードに移行するための操作が検出されると、ネットワークに対して位置登録を解除し、無線部を停止させてネットワークとの通信を伴う機能を停止し、操作部にてオンラインモードに移行するための操作が検出されると、無線部を起動させてネットワークとの通信を伴う機能を再開し、ネットワークに対して位置登録を行う制御部を有している。
【００１３】
したがって、ユーザがオフラインモードの設定または解除の操作をすると、操作部がそれを検出して制御部に通知し、制御部が既存の手順を用いてネットワークに対して位置登録解除または位置登録を行い、無線部がネットワークとの通信を停止または再開する。
【００１４】
本発明の他のＷ−ＣＤＭＡ携帯端末は、ネットワークとの通信を伴う機能とネットワークとの通信を伴わない機能を有するＷ−ＣＤＭＡ携帯端末であって、
ネットワークとの通信においてそのネットワークと無線信号を送受信する無線部と、
ユーザによるＷ−ＣＤＭＡ携帯端末に対する操作を検出する操作部と、
操作部にてオフラインモードに移行するための操作が検出されると、ネットワークに対して位置登録を解除し、無線部にネットワークへの無線信号の送信を停止させてネットワークからの無線信号の受信のみ行わせ、ネットワークとの通信を伴う機能を停止し、操作部にてオンラインモードに移行するための操作が検出されると、無線部にネットワークへの無線信号の送信を再開させてネットワークとの通信を伴う機能を再開し、ネットワークに対して位置登録を行う制御部を有している。
【００１５】
したがって、本Ｗ−ＣＤＭＡ携帯端末はオフラインモードでもネットワークからの無線信号の受信を継続する。
【００１６】
また、本発明の他のＷ−ＣＤＭＡ携帯端末において、制御部は、無線部にてネットワークから受信された無線信号により周辺の基地局を検出しており、操作部にてオフラインモードに移行するための操作が検出されて、ネットワークに対して位置登録を解除しても周辺の基地局の検出は継続し、操作部にてオンラインモードに移行するための操作が検出されると、最も無線信号の受信状態が良好な基地局に向けて位置登録を行うこととしてもよい。
【００１７】
したがって、本Ｗ−ＣＤＭＡ携帯端末は、オフラインモードでもネットワークからの無線信号の受信、およびその無線信号による基地局の検出を継続する。
【００１８】
本発明の動作モード設定方法は、ネットワークとの通信を伴う機能とネットワークとの通信を伴わない機能を有するＷ−ＣＤＭＡ携帯端末において、無線信号の送出を停止してネットワークとの通信を伴わない機能のみを利用可能なオフラインモードに設定し、また解除するための動作モード設定方法であって、
オフラインモードに設定するとき、ネットワークに対する位置登録を解除するステップと、
位置登録が解除されると、ネットワークとの通信を停止し、そのネットワークとの通信を伴う機能を停止するステップと、
オフラインモードを解除するとき、ネットワークとの通信を開始し、そのネットワークとの通信を伴う機能を再開するステップと、
ネットワークとの通信が開始されると、ネットワークに対して位置登録を行うステップを有している。
【００１９】
本発明の他の動作モード設定方法は、ネットワークとの通信を伴う機能とネットワークとの通信を伴わない機能を有するＷ−ＣＤＭＡ携帯端末において、無線信号の送出を停止してネットワークとの通信を伴わない機能のみを利用可能なオフラインモードに設定し、また解除するための動作モード設定方法であって、
オフラインモードに設定するとき、ネットワークに対する位置登録を解除するステップと、
位置登録が解除されると、ネットワークへの無線信号の送信を停止し、そのネットワークからの無線信号の受信のみ行い、そのネットワークとの通信を伴う機能を停止するステップと、
オフラインモードを解除するとき、ネットワークへの無線信号の送信を可能にし、そのネットワークとの通信を伴う機能を再開するステップと、
ネットワークへの無線信号の送信が可能になると、ネットワークに対して位置登録を行うステップを有している。
【００２０】
また、本発明の他の動作モード設定方法において、ネットワークへの無線信号の送信を停止したときにも、ネットワークから受信される信号による周辺の基地局の検出を継続し、ネットワークへの無線信号の送信が可能になったとき、最も無線信号の受信状態が良好な基地局に向けて位置登録を行うこととしてもよい。
【００２１】
【発明の実施の形態】
本発明の一実施形態について図面を参照して詳細に説明する。
【００２２】
図１は、本実施形態の携帯電話端末の構成を示すブロック図である。図１を参照すると、本実施形態の携帯電話端末１０は、キー操作部１１、制御部１２、無線部１３およびアンテナ１４を有している。
【００２３】
キー操作部１１は、ユーザによる各種キーに対する操作を検出して制御部１２に通知する。
【００２４】
例えば、キー操作部１１は、携帯電話端末１０をオフラインモードにするための操作を検出し、制御部１４に通知する。オフラインモードとは、通信を伴わない機能だけが利用でき、通信を伴う機能が利用できない動作モードである。これに対して、オンラインモードは、ネットワークとの通信を伴う機能も利用可能な動作モードである。
【００２５】
オフラインモードでは、携帯電話端末１０はネットワークに対する電波の送出を一切行わない。オフラインモードで利用可能な機能は、例えば、所定の時刻になったことをユーザに通知するアラーム機能や、メモ代わりに情報をメモリに蓄積するメモ機能、ゲーム機能、音楽再生機能などである。
【００２６】
また、キー操作部１１は、携帯電話端末１０をオンラインモードにするための操作を検出し、制御部１４に通知する。
【００２７】
無線部１２は、アンテナ１３を介してネットワーク（不図示）と無線信号を送受信する。
【００２８】
無線部１２は、受信処理として、ネットワークからの無線信号に対して同期をとり、フレームを検出し、そのフレームにより転送されてきた情報を受信して制御部１４に送る。
【００２９】
また、無線部１２は、送信処理として、制御部１４からの情報をフレームに載せ、アンテナ１３を介してネットワークに送る。
【００３０】
また、無線部１２は、制御部１４から停止の指示を受けると、無線信号の送受信を停止する。また、無線部１２は、制御部１４から起動の指示を受けると、無線信号の送受信を開始する。
【００３１】
制御部１４は、キー操作部１１からの通知や、ネットワークから受信した情報に応じて、各種処理を行う。
【００３２】
キー操作部１１からオフラインモードへ移行する操作がされたことが通知されると、制御部１３は、通信を伴う機能を停止し、ネットワークとの間でＤＥＴＡＣＨ処理を実行して位置登録を解除した後、無線部１２に停止を指示し、自身もネットワークとの間の通信を停止する。
【００３３】
ＤＥＴＡＣＨ処理は、ネットワークに対する位置登録を解除する処理であり、通常、携帯電話端末の電源切断時に実行されるが、本実施形態ではオンラインモードにおいてオフラインにするための操作が行われたときにも実行される。ＤＥＴＡＣＨ処理において、携帯電話端末１０とネットワークの間でやりとりされるのはＷ−ＣＤＭＡの標準的な情報である。携帯電話端末１０がオフラインモードになるとき、ネットワークは携帯電話機１０の電源が切られたときと同じ処理を実行する。つまり、オフラインモードを選択する機能を有する本実施形態の携帯電話端末１０が接続されるネットワークは、標準化された処理以外の処理を実行する必要が無い。そのため、本実施形態では従来のネットワークがそのまま利用できる。また、携帯電話端末１０は、従来より有している処理を流用することにより、オフラインモードへの移行処理を実現できる。
【００３４】
ＤＥＴＡＣＨ処理が実行されると、携帯電話端末１０のネットワークに対する位置登録が解除され、ネットワークはその携帯電話端末１０がどこにいるのか知らない状態となる。その状態では、例えば、その携帯電話端末１０に対する発呼があっても、ネットワークはページングを行わない。
【００３５】
キー操作部１１からオンラインモードへ移行する操作がされたことを通知されると、制御部１３は、無線部１２に起動を指示し、セルサーチを行ってネットワークとの通信を可能な状態とし、ネットワークとの間でＡＴＴＡＣＨ処理を実行する。そして、制御部１３は、ＡＴＴＡＣＨ処理の後、音声通話などの通信を伴う機能を行うことができる。
【００３６】
セルサーチは、基地局からの信号の同期をとり、拡散符号番号を取得することにより、在圏セルの基地局と通信可能な状態とする動作である。これにより、携帯電話端末１０はネットワークと信号のやりとりができる状態となる。
【００３７】
ＡＴＴＡＣＨ処理は、携帯電話端末がネットワークに対して位置登録する処理であり、通常、携帯電話端末の電源が投入されたときや携帯電話端末がセル間を移動したときに実行されるが、本実施形態ではオフラインモードからオンラインモードに移行するための操作が行われたときにも実行される。このＡＴＴＡＣＨ処理において、携帯電話端末１０とネットワークの間でやりとりされるのはＷ−ＣＤＭＡの標準的な情報である。本実施形態の携帯電話端末１０が接続されるネットワークは標準化された処理以外の処理を実行する必要が無い。そのため、ネットワークは従来のものがそのまま利用できる。ＡＴＴＡＣＨ処理において携帯電話端末の位置がネットワークに登録されると、携帯電話端末は通信を伴う機能を行うことができる状態となる。
【００３８】
一般的な位置登録手順において、携帯電話端末とネットワークは、まず無線確立処理を行う。この無線確立処理により、携帯電話端末とネットワークの間にＲＲＣコネクションが設定される。
【００３９】
次に、携帯電話端末がネットワークに位置登録要求を行うと、携帯電話端末の認証が行われる。認証はネットワークから携帯電話端末に対して要求され、携帯電話端末から演算結果を含む応答を返すことにより行われる。携帯電話端末の認証が完了すると、次に秘匿処理が行われる。これにより、携帯電話端末とネットワーク間の信号が秘匿される。
【００４０】
次に、ネットワークから携帯電話端末に位置登録受付が送られ、位置登録が完了すると、ＲＲＣコネクションの解放処理が行われ、位置登録の一連の処理が完了する。
【００４１】
その状態では、例えば、その携帯電話端末に対して着呼があれば、その携帯電話端末が登録されているエリアにページングが行われる。また、その状態では、携帯電話端末は、移動するなどして無線電波の状態が変化すれば、必要に応じて新たなエリアに対する位置登録を要求する。
【００４２】
制御部１４は、オンラインモードにおいて、キー操作部１１からの通知やネットワークから受信した情報に応じて、ネットワークを介して相手側の携帯電話端末などと音声や画像の通信を行う。また、制御部１４は、オンラインモードにおいて、キー操作部１１からの通知に応じて、アラーム機能やメモ機能などの通信を伴わない動作を行う。
【００４３】
制御部１４は、オフラインモードにおいては、ネットワークを介した通信を行わず、アラーム機能やメモ機能などの通信を伴わない動作のみ行う。
【００４４】
図２は、オフラインモード移行の操作がされたことを通知された制御部のオフラインモードに移行するか否かの判定動作を示すフローチャートである。図２を参照すると、オフラインモード移行の操作がされたことを通知されると、制御部１４は、ステップＡ１において、現在、オフラインモードに設定されているか否か判定する。
【００４５】
オフラインモードに設定されていれば、制御部１４は、ステップＡ２において、「オフラインモード設定中」のメッセージを画面に表示し、オフラインモードに移行する必要が無いので処理を終了する。
【００４６】
オフラインモードに設定されていなければ、制御部１４は、ステップＡ３において、現在、音声通話やデータ通信などにより通信中であるか否か判定する。
【００４７】
通信中でなければ、制御部１４は、オフラインモードに移行すると決定して処理を終了する。
【００４８】
通信中であれば、制御部１４は、ステップＡ４において、その通信が切断可能であるか否か判定する。その通信が切断可能であれば、制御部１４は、ステップＡ５において、通信を切断（終話処理）を行った後、オフラインモードに移行すると決定して処理を終了する。ステップＡ４の判定で通信が切断可能でなければ、制御部１４は、オフラインモードに移行しないことを決定して処理を終了する。
【００４９】
図３は、オンラインモード移行の操作がされたことを通知された制御部のオンラインモードに移行するか否かの判定動作を示すフローチャートである。図３を参照すると、オンラインモード移行の操作がされたことを通知されると、制御部１４は、ステップＢ１において、現在、オフラインモードに設定されているか否か判定する。
【００５０】
オフラインモードに設定されていれば、制御部１４は、オンラインモードに移行することを決定して処理を終了する。
【００５１】
オフラインモードに設定されていなければ、制御部１４は、ステップＢ２において、「オフラインモード設定中ではありません」のメッセージを画面に表示し、オンラインモードに移行する必要が無いので処理を終了する。
【００５２】
図４は、本実施形態の携帯電話端末のオフラインモード移行動作を示すシーケンス図である。図４において携帯電話端末１０の初期状態はオンラインモードである。
【００５３】
図４を参照すると、ユーザがオフラインモードに移行するための操作をすると、キー操作部１１は、それを検出して制御部１４に通知する。
【００５４】
キー操作部１１からオフラインモードに移行するための操作があったことを通知されると、制御部１４は無線部１２を介してネットワークとメッセージをやりとりしてＤＥＴＡＣＨ処理を行い、オフラインモードに移行する。これにより、その携帯電話端末１０のネットワークに対する位置登録が解除される。
【００５５】
次に、制御部１４は無線部１２に停止を指示する。これにより、無線部１２はネットワークとの無線信号の送受信を停止する。
【００５６】
これらの動作により携帯電話端末１０はオフラインモードとなる。オフラインモードでは、携帯電話端末１０はネットワークに対する電波の送出を一切行わず、通信を伴わない機能のみが利用可能である。
【００５７】
図５は、本実施形態の携帯電話端末のオンラインモード移行動作を示すシーケンス図である。図５において携帯電話端末１０の初期状態はオフラインである。
【００５８】
図５を参照すると、ユーザがオンラインモードに移行するための操作をすると、キー操作部１１は、それを検出して制御部１４に通知する。
【００５９】
キー操作部１１からオンラインモードに移行するための操作があったことを通知されると、制御部１４は無線部１２に起動を指示する。これにより無線部１２は起動する。起動すると、無線部１２はネットワークからの無線信号のフレーム同期を取り、そのフレームで受信した情報を制御部１４に送り始める。
【００６０】
次に、制御部１４は、通信可能な基地局（不図示）を識別し、ネットワークとの間でＡＴＴＡＣＨ処理を行い、オンラインモードに移行する。これにより、その携帯電話端末１０はネットワークに位置登録される。
【００６１】
これらの動作により携帯電話端末１０はオンラインモードとなる。オンラインモードでは、携帯電話端末１０はネットワークとの間で電波を送受信することができるので、通信を伴う機能および通信を伴わない機能の双方が利用可能である。
【００６２】
以上説明したように、ユーザがオフラインモードの設定または解除の操作をすると、キー操作部１１がそれを検出して制御部１４に通知し、制御部１４が既存の手順を用いてネットワークに対してＤＥＴＡＣＨ処理（位置登録解除）またはＡＴＴＡＣＨ処理（位置登録）を行うので、Ｗ−ＣＤＭＡ方式の標準から外れずに、送信電波による周囲の電子機器などへの影響のないオフラインモードに設定可能な携帯端末を提供することができる。
【００６３】
なお、本実施形態の携帯電話機１０は、オフラインモードにおいて、無線部１２を停止して無線信号の送信および受信の双方を停止することとしたが、本発明はこれに限定されるものではない。本発明の目的から、無線信号の送信は停止する必要があるが、受信は必ずしも停止しなくてもよい。
【００６４】
例えば、携帯電話端末１０は、オフラインモードにおいても無線信号を受信しており、フレーム同期と在圏セルの識別を継続し、オンラインモードへ移行するための操作がされると、即座に位置登録を行うこととしてもよい。通常、フレーム同期をとるまでにはある程度の時間がかかるが、オフラインモードにおいてもフレーム同期をとり続けていれば、携帯電話端末１０は、フレーム同期を取り直し、さらに基地局の識別をし直す必要が無いので、オフラインモードからオンラインモードへ短時間で移行することができる。
【００６５】
また、例えば、携帯電話端末１０は、オフラインモードにおいても無線信号を受信してフレーム同期を取り続け、オンラインモードへ移行するための操作がされると、基地局の識別を開始することとしてもよい。
【００６６】
また、本実施形態では端末は音声通話やデータ通信の可能な携帯電話端末１０を例示したが、本発明はこれに限定されない。ネットワークとの通信を伴い機能と、ネットワークとの通信を伴わない機能の双方を有するＷ−ＣＤＭＡ端末であればよい。例えば、音声通話の機能を有しないデータ通信端末であってもよい。
【００６７】
【発明の効果】
本発明によれば、ユーザがオフラインモードの設定または解除の操作をすると、操作部がそれを検出して制御部に通知し、制御部が既存の手順を用いてネットワークに対して位置登録解除または位置登録を行い、無線部がネットワークとの通信を停止または再開するので、ネットワークに特別な機能を追加することなく、かつＷ−ＣＤＭＡ端末の既存のインタフェースを利用して、送信電波により周囲の電子機器などへ影響を与えないオフラインモードに設定可能なＷ−ＣＤＭＡ端末を容易に提供することができる。
【００６８】
また、本発明によれば、Ｗ−ＣＤＭＡ端末はオフラインモードでもネットワークからの無線信号の受信を継続するので、オンラインモードに戻るときフレーム同期を取り直す必要が無く、短時間でオンラインモードに戻ることができる。
【００６９】
また、本発明によれば、Ｗ−ＣＤＭＡ端末は、オフラインモードでもネットワークからの無線信号の受信、およびその無線信号による基地局の検出を継続するので、オンラインモードに戻るときフレーム同期および基地局検出をやり直す必要が無く、短時間デオンラインモードに戻ることができる。
【図面の簡単な説明】
【図１】本実施形態の携帯電話端末の構成を示すブロック図である。
【図２】オフラインモード移行の操作がされたことを通知された制御部のオフラインモードに移行するか否かの判定動作を示すフローチャートである。
【図３】オンラインモード移行の操作がされたことを通知された制御部のオンラインモードに移行するか否かの判定動作を示すフローチャートである。
【図４】本実施形態の携帯電話端末のオフラインモード移行動作を示すシーケンス図である。
【図５】本実施形態の携帯電話端末のオンラインモード移行動作を示すシーケンス図である。
【符号の説明】
１０　　携帯電話端末
１１　　キー操作部
１２　　制御部
１３　　無線部
１４　　アンテナ
Ａ１〜Ａ５，Ｂ１〜Ｂ２　　ステップ
【図１】
2004080308.tif 000003
【図２】
2004080308.tif 000004
【図３】
2004080308.tif 000005
【図４】
2004080308.tif 000006
【図５】
2004080308.tif 000007